(57)【要約】      （修正有）【課題】電球の取付け位置や向きを調整可能な電球装着具を提供する。【解決手段】雌型ジョイント部４４の中空部４４ａにジョイント片１４の雄型ジョイント部の頭部１４ｃを摺動可能に嵌合し、ジョイント片１４の雌型ジョイント部の中空部１４ｅに雄型ジョイント部４６の頭部４６ａを勘合することにより構成されるボールジョイントを介して電球用ソケット４２とプラグ４３を連結する。電球用ソケット４２に装着した電球の向きや高さ位置を調整可能にする。【選択図】図９
0003190530.tif 000002
【実用新案登録請求の範囲】
【請求項１】
電球の口金部分が装着される電球用ソケットと、コンセントに接続するプラグと、ジョイント片を備えた電球装着具であって、
電球用ソケットの底部に、略球状の頭部を有し、頭部中心に貫通穴を形成した雄型ジョイント部又は略半球状の中空部を有し、中空部に連通する貫通穴を形成した雌型ジョイント部を成形し、
プラグの底部に雌型ジョイント部又は雄型ジョイント部を成形し、
前記ジョイント片が略球状の頭部を有し、頭部中心に貫通穴を形成した雄型ジョイント部と、雄型ジョイント部の反頭部側端部に一体成形され、前記貫通穴に連通する略半球状の中空部を内部に形成した雌型ジョイント部から成る雪ダルマ型の外形を有し、
電球用ソケット又はプラグの雄型ジョイント部の頭部をジョイント片の雌型ジョイント部の中空部に摺動可能に嵌合し、プラグ又は電球用ソケットの雌型ジョイント部の中空部にジョイント片の雄型ジョイント部の頭部を摺動可能に嵌合して電球用ソケットとプラグをジョイント片を介して連結し、
電球用ソケット又はプラグの雄型ジョイント部の貫通穴と雌型ジョイント部の貫通穴及びジョイント片の雄型ジョイント部の貫通穴に導線を挿通して電球用ソケットとプラグを電気的に接続したことを特徴とする電球装着具。
【請求項２】
電球の口金部分が装着される電球用ソケットと、電源用ソケットに装着される口金と、ジョイント片を備えた電球装着具であって、
電球用ソケットの底部に、略球状の頭部を有し、頭部中心に貫通穴を形成した雄型ジョイント部又は略半球状の中空部を有し、中空部に連通する貫通穴を形成した雌型ジョイント部を成形し、
口金の底部に雌型ジョイント部又は雄型ジョイント部を成形し、
前記ジョイント片が略球状の頭部を有し、頭部中心に貫通穴を形成した雄型ジョイント部と、雄型ジョイント部の反頭部側端部に一体成形され、前記貫通穴に連通する略半球状の中空部を内部に形成した雌型ジョイント部から成る雪ダルマ型の外形を有し、
電球用ソケット又は口金の雄型ジョイント部の頭部をジョイント片の雌型ジョイント部の中空部に摺動可能に嵌合し、口金又は電球用ソケットの雌型ジョイント部の中空部にジョイント片の雄型ジョイント部の頭部を摺動可能に嵌合して電球用ソケットと口金をジョイント片を介して連結し、
電球用ソケット又は口金の雄型ジョイント部の貫通穴と雌型ジョイント部の貫通穴及びジョイント片の雄型ジョイント部の貫通穴に導線を挿通して電球用ソケットと口金を電気的に接続したことを特徴とする電球装着具。
【請求項３】
一のジョイント片の雄型ジョイント部の頭部を他のジョイント片の雌型ジョイント部の中空部に摺動可能に嵌合して複数個のジョイント片を連結し、連結した複数個のジョイント片の貫通穴に前記導線を挿通して前記電球用ソケットと前記プラグを接続するコード本体を形成したことを特徴とする請求項１に記載の電球装着具。
【請求項４】
一のジョイント片の雄型ジョイント部の頭部を他のジョイント片の雌型ジョイント部の中空部に摺動可能に嵌合して複数個のジョイント片を連結し、連結した複数個のジョイント片の貫通穴に前記導線を挿通して前記電球用ソケットと前記口金を接続するコード本体を形成したことを特徴とする請求項２に記載の電球装着具。
【考案の詳細な説明】
【技術分野】
【０００１】
本考案は電球装着具に関する。
【背景技術】
【０００２】
一般に電球は壁面や天井に固設した電源用ソケットに電球の口金部分を直接差し込んで取り付けられる。電源用ソケットが壁面や天井に固設されている場合、電球の取付け位置を調整したり、電球の向きを調整することはできない。
特開２０１１−１０８６０８号公報には天井に固設したコンセントに接続できるプラグを一端に備え、他端に電球用ソケットを内蔵した照明用笠を備えた電球装着具が市販されている。この電球装着具によれば、プラグを天井のシーリングコンセントに接続することにより、笠内部の電球用ソケットに装着した電球を電球装着具で天井のコンセントから吊下げることができる。
この種の電球装着具で吊り下げた電球は真下を向くだけで、電球の向きを真下以外の向きに調整することはできない。また、その高さ位置もコードの長さで定まり、調整することはできない。
【先行技術文献】
【特許文献】
【０００３】
【特許文献１】特開２０１１−１０８６０８号公報
【考案の概要】
【考案が解決しようとする課題】
【０００４】
本考案は上記問題点に鑑み、電球の取付け位置や向きを調整可能な電球装着具を提供することを目的とする。
【課題を解決するための手段】
【０００５】
請求項１に記載の考案は、電球の口金部分が装着される電球用ソケットと、コンセントに接続するプラグと、ジョイント片を備えた電球装着具であって、
電球用ソケットの底部に、略球状の頭部を有し、頭部中心に貫通穴を形成した雄型ジョイント部又は略半球状の中空部を有し、中空部に連通する貫通穴を形成した雌型ジョイント部を成形し、
プラグの底部に雌型ジョイント部又は雄型ジョイント部を成形し、
前記ジョイント片が略球状の頭部を有し、頭部中心に貫通穴を形成した雄型ジョイント部と、雄型ジョイント部の反頭部側端部に一体成形され、前記貫通穴に連通する略半球状の中空部を内部に形成した雌型ジョイント部から成る雪ダルマ型の外形を有し、
電球用ソケット又はプラグの雄型ジョイント部の頭部をジョイント片の雌型ジョイント部の中空部に摺動可能に嵌合し、プラグ又は電球用ソケットの雌型ジョイント部の中空部にジョイント片の雄型ジョイント部の頭部を摺動可能に嵌合して電球用ソケットとプラグをジョイント片を介して連結し、
電球用ソケット又はプラグの雄型ジョイント部の貫通穴と雌型ジョイント部の貫通穴及びジョイント片の雄型ジョイント部の貫通穴に導線を挿通して電球用ソケットとプラグを電気的に接続したことを特徴とする。
【０００６】
請求項２に記載の考案は、電球の口金部分が装着される電球用ソケットと、電源用ソケットに装着される口金と、ジョイント片を備えた電球装着具であって、
電球用ソケットの底部に、略球状の頭部を有し、頭部中心に貫通穴を形成した雄型ジョイント部又は略半球状の中空部を有し、中空部に連通する貫通穴を形成した雌型ジョイント部を成形し、
口金の底部に雌型ジョイント部又は雄型ジョイント部を成形し、
前記ジョイント片が略球状の頭部を有し、頭部中心に貫通穴を形成した雄型ジョイント部と、雄型ジョイント部の反頭部側端部に一体成形され、前記貫通穴に連通する略半球状の中空部を内部に形成した雌型ジョイント部から成る雪ダルマ型の外形を有し、
電球用ソケット又は口金の雄型ジョイント部の頭部をジョイント片の雌型ジョイント部の中空部に摺動可能に嵌合し、口金又は電球用ソケットの雌型ジョイント部の中空部にジョイント片の雄型ジョイント部の頭部を摺動可能に嵌合して電球用ソケットと口金をジョイント片を介して連結し、
電球用ソケット又は口金の雄型ジョイント部の貫通穴と雌型ジョイント部の貫通穴及びジョイント片の雄型ジョイント部の貫通穴に導線を挿通して電球用ソケットと口金を電気的に接続したことを特徴とする。
【０００７】
請求項３に記載の考案は、請求項１に記載の電球装着具において、
一のジョイント片の雄型ジョイント部の頭部を他のジョイント片の雌型ジョイント部の中空部に摺動可能に嵌合して複数個のジョイント片を連結し、連結した複数個のジョイント片の貫通穴に前記導線を挿通して前記電球用ソケットと前記プラグを接続するコード本体を形成したことを特徴とする。
【０００８】
請求項４に記載の考案は、請求項２に記載の電球装着具において、
一のジョイント片の雄型ジョイント部の頭部を他のジョイント片の雌型ジョイント部の中空部に摺動可能に嵌合して複数個のジョイント片を連結し、連結した複数個のジョイント片の貫通穴に前記導線を挿通して前記電球用ソケットと前記口金を接続するコード本体を形成したことを特徴とする。
【考案の効果】
【０００９】
請求項１に記載の考案に係る電球装着具はプラグを天井や壁面に固設されているコンセントに差し込んで接続し、電球用ソケットに電球を装着して使用される。
請求項１に記載の考案によれば、電球用ソケット又はプラグの雄型ジョイント部の頭部をジョイント片の雌型ジョイント部の中空部に摺動可能に嵌合し、プラグ又は電球用ソケットの雌型ジョイント部の中空部にジョイント片の雄型ジョイント部の頭部を摺動可能に嵌合して電球用ソケットとプラグを連結したので、電球用ソケットに装着した電球の向きを任意の方向に調整できる。
【００１０】
請求項２に記載の考案に係る電球装着具は口金を天井や壁面に固設されている電源用ソケットにねじ込んで接続し、電球用ソケットに電球を装着して使用される。
請求項２に記載の考案によれば、電球用ソケット又は口金の雄型ジョイント部の頭部をジョイント片の雌型ジョイント部の中空部に摺動可能に嵌合し、口金又は電球用ソケットの雌型ジョイント部の中空部にジョイント片の雄型ジョイント部の頭部を摺動可能に嵌合して電球用ソケットと口金を連結したので、電球用ソケットに装着した電球の向きを任意の方向に調整できる。
【００１１】
請求項３に記載の考案によれば、複数個のジョイント片を摺動可能に連結して形成したコード本体を用いるので、コード本体が可撓性を有し、様々な形態に撓めることができ、かつ隣接するジョイント片間の摩擦力により、撓めて形態が保持される。従って、コード本体を撓めることによりコード本体の一端に設けた電球用ソケットに装着した電球の向きや高さ位置を調整できる。
【００１２】
請求項４に記載の考案によれば、複数個のジョイント片を摺動可能に連結して形成したコード本体を用いるので、コード本体が可撓性を有し、様々な形態に撓めることができ、かつ隣接するジョイント片間の摩擦力により、撓めて形態が保持される。従って、コード本体を撓めることによりコード本体の一端に設けた電球用ソケットに装着した電球の向きや高さ位置を調整できる。
【図面の簡単な説明】
【００１３】
【図１】本考案の第１参考例に係る電球装着具を示す斜視図である。
【図２】本考案の第１参考例に係る電球装着具を示す断面図である。
【図３】本考案の第１参考例に係る電球装着具の使用例を示す説明図である。
【図４】本考案の第２参考例に係る電球装着具を示す斜視図である。
【図５】本考案の第２参考例に係る電球装着具を示す断面図である。
【図６】本考案の第２参考例に係る電球装着具の使用例を示す説明図である。
【図７】本考案の第３参考例に係る電球装着具を示す断面図である。
【図８】本考案の第３参考例に係る電球装着具の使用例を示す説明図である。
【図９】本考案の第１実施例に係る電球装着具を示す断面図である。
【図１０】本考案の第１実施例に係る電球装着具の雌型ジョイント部を示す断面図である。
【図１１】本考案の第１実施例に係る電球装着具の雄型ジョイント部を示す断面図である。
【図１２】本考案の第１実施例に係る電球装着具のジョイント片を示す断面図である。
【図１３】本考案の第２実施例に係る電球装着具を示す断面図である。
【図１４】本考案の第３実施例に係る電球装着具を示す斜視図である。
【図１５】本考案の第３実施例に係る電球装着具を示す断面図である。
【図１６】本考案の第３実施例に係る電球装着具の使用例を示す説明図である。
【図１７】本考案の第４実施例に係る電球装着具を示す斜視図である。
【図１８】本考案の第４実施例に係る電球装着具を示す断面図である。
【図１９】本考案の第４実施例に係る電球装着具の使用例を示す説明図である。
【図２０】本考案の第５実施例に係る電球装着具を示す斜視図である。
【図２１】本考案の第５実施例に係る電球装着具を示す断面図である。
【図２２】本考案の第５実施例に係る電球装着具の使用例を示す説明図である。
【図２３】本考案の第６実施例に係る電球装着具を示す斜視図である。
【図２４】本考案の第７実施例に係る電球装着具を示す斜視図である。
【図２５】本考案の第８実施例に係る電球装着具を示す斜視図である。
【参考例１】
【００１４】
以下に本考案を図面に基づき説明するに、図１及び図２には本考案の第１参考例に係る電球装着具１０が示されている。当該電球装着具１０は、電球の口金部分が装着される電球用ソケット１２及び天井に固設したシーリングコンセントに着脱可能に連結されるプラグ１３を備えている。
【００１５】
電球用ソケット１２は底部に雌型ジョイント部１２ａが一体成形されている。雌型ジョイント部１２ａには半球状の中空部１２ｂと、中空部１２ｂと電球用ソケット１２の内部を連通する貫通孔１２ｃが形成されている。
【００１６】
プラグ１３の底部には雄型ジョイント部１３ａが一体成形されている。雄型ジョイント部１３ａには略球形の頭部１３ｂと、頭部１３ｂを貫通してプラグ１３の内部にまで達する貫通穴１３ｃが形成されている。
【００１７】
電球用ソケット１２の雌型ジョイント部１２ａの中空部１２ｂにプラグ１３の雄型ジョイント部１３ａの頭部１３ｂを摺動可能に嵌合することにより、電球用ソケット１２とプラグ１３が連結されている。電球用ソケット１２の雌型ジョイント部１２ａの貫通穴１２ｃとプラグ１３の雄型ジョイント部１３ａの貫通穴１３ｃに２本の導線１５が挿通されている。各導線１５の一端が電球用ソケット１２の電極金具１２ｄ，１２ｅに接続され、他端がプラグ１３の電極金具１３ｄにそれぞれ接続されている。
【００１８】
第１参考例に係る電球装着具１０の構造は以上の通りであって、図３に示すように、プラグ１３を天井に固設されているシーリングコンセント１６に掛止し、電球用ソケット１２に電球１７を装着して使用される。
【００１９】
第１参考例に係る電球装着具１０によれば、雄型ジョイント部１３ａの頭部１３ｂを雌型ジョイント部１２ａの中空部１２ｂに摺動可能に嵌合することにより構成されるボールジョイントによって電球用ソケット１２とプラグ１３を連結したので、電球用ソケット１２に装着した電球１７の向きを任意の方向に調整できる。
【参考例２】
【００２０】
本考案の第２参考例に係る電球装着具２０を図４及び図５に示す。当該電球装着具２０は電球用ソケット１２と、天井や壁面に固設されている電源用ソケット２２にねじ込んで装着される口金２１を備えている。
【００２１】
口金２１の底部には雄型ジョイント部２１ａが一体成形されている。雄型ジョイント部２１ａには略球形の頭部２１ｂと、頭部２１ｂを貫通して口金２１の内部にまで達する貫通穴２１ｃが形成されている。なお、電球用ソケット１２の構造は第１参考例に係る電球装着具１０の電球用ソケット１２と同じであるので、同一の構成要素に同一の符号を付して説明を省略する。
【００２２】
電球用ソケット１２の雌型ジョイント部１２ａの中空部１２ｂに口金２１の雄型ジョイント部２１ａの頭部２１ｂを摺動可能に嵌合することにより、電球用ソケット１２と口金２１が連結されている。電球用ソケット１２の雌型ジョイント部１２ａの貫通穴１２ｃと口金２１の雄型ジョイント部２１ａの貫通穴２１ｃに２本の導線１５が挿通されている。各導線１５の一端が電球用ソケット１２の電極金具１２ｄ，１２ｅに接続され、他端が口金２１の電極金具２１ｄ，２１ｅにそれぞれ接続されている。
【００２３】
第２参考例に係る電球装着具２０の構造は以上の通りであって、図６に示すように、口金２１を天井に固設されている電源用ソケット２２にねじ込んで接続し、電球用ソケット１２に電球１７を装着して使用される。
【００２４】
第２参考例に係る電球装着具２０によれば、雄型ジョイント部２１ａの頭部２１ｂを雌型ジョイント部１２ａの中空部１２ｂに摺動可能に嵌合することにより構成されるボールジョイントによって電球用ソケット１２と口金２１を連結したので、電球用ソケット１２に装着した電球１７の向きを任意の方向に調整できる。
なお、第２参考例に係る電球装着具２０では、電球用ソケット１２のサイズ規格と同じサイズ規格の口金２１を取り付けたが、電球用ソケット１２のサイズ規格と異なるサイズ規格の口金を取り付けることもできる。電球用ソケット１２と口金２１のサイズ規格が異なれば、例えば天井や壁面に固設されている電源用ソケット２２から、そのサイズ規格と異なる口金を備えた電球を点灯することができる。
【参考例３】
【００２５】
本考案の第３参考例に係る電球装着具３０を図７に示す。当該電球装着具３０は電球用ソケット１２と、天井に固設されたライティングバーに連結されるプラグ３１を供えている。
【００２６】
プラグ３１の底部には雄型ジョイント部３１ａが一体成形されている。雄型ジョイント部３１ａには略球形の頭部３１ｂと、頭部３１ｂを貫通してプラグ３１の内部にまで達する貫通穴３１ｃが形成されている。このプラグ３１の端面にはライティングバーに内蔵されているレール状の端子に摺接可能に掛止される一対の電極金具３１ｄが固設されている。
なお、電球用ソケット１２の構造は第１参考例に係る電球装着具１０の電球用ソケット１２と同じであるので、同一の構成要素に同一の符号を付して説明を省略する。
【００２７】
電球用ソケット１２の雌型ジョイント部１２ａの中空部１２ｂにプラグ３１の雄型ジョイント部３１ａの頭部３１ｂを摺動可能に嵌合することにより、電球用ソケット１２とプラグ３１が連結されている。電球用ソケット１２の雌型ジョイント部１２ａの貫通穴１２ｃとプラグ３１の雄型ジョイント部３１ａの貫通穴３１ｃに２本の導線１５が挿通されている。各導線１５の一端が電球用ソケット１２の電極金具１２ｄ，１２ｅに接続され、他端がプラグ３１の電極金具３１ｄにそれぞれ接続されている。
【００２８】
第３参考例に係る電球装着具３０の構造は以上の通りであって、図８に示すように、プラグ３１をライティングバー３２に連結し、ソケット１２に電球１７を装着して使用する。第３参考例に係る電球装着具３０によれば、ライティングバー３２に沿って電球１７の吊り下げ位置を変更できる。
また、雄型ジョイント部３１ａの頭部３１ｂを雌型ジョイント部１２ａの中空部１２ｂに摺動可能に嵌合することにより構成されるボールジョイントによって電球用ソケット１２とプラグ３１を連結したので、電球用ソケット１２に装着した電球１７の向きを任意の方向に調整できる。
【実施例１】
【００２９】
本考案の第１実施例に係る電球装着具４０を図９に示す。当該電球装着具４０は、電球用ソケット４２と、プラグ４３と、ジョイント片１４を備えている。
【００３０】
電球用ソケット４２の底部には雌型ジョイント部４４と中空ボルト４５が取り付けられている。雌型ジョイント部４４は図１０に示すように、半球状の中空部４４ａとネジ穴４４ｂ及び中空部４４ａとネジ穴４４ｂを連通する貫通穴４４ｃが形成されている。一方、電球用ソケット４２の底部中心にネジ穴４２ａが形成されている。中空ボルト４５の一端が電球用ソケット４２のネジ穴４２ａにネジ付けられている。雌型ジョイント部４４が中空ボルト４５の他端にネジ付けられている。
【００３１】
プラグ４３の底部には雄型ジョイント部４６と中空ボルト４５が取り付けられている。雄型ジョイント部４６は図１１に示すように、略球形の頭部４６ａとネジ穴４６ｂ及び頭部４６ａとネジ穴４６ｂを連通する貫通穴４６ｃが形成されている。一方、プラグ４３の底部中心にネジ穴４３ａが形成されている。中空ボルト４５の一端がプラグ４３のネジ穴４３ａにネジ付けられている。雌型ジョイント部４４が中空ボルト４５の他端にネジ付けられている。
【００３２】
図１２に示すように、ジョイント片１４はプラスチック成形品であり、雄型ジョイント部１４ａと雌型ジョイント部１４ｂが一体に成形されている。雄型ジョイント部１４ａは略球状の頭部１４ｃを有し、頭部１４ｃの中心に貫通穴１４ｄが形成されている。雌型ジョイント部１４ｂは反頭部側端部に一体成形され、貫通穴１４ｄが連通する略半球状の中空部１４ｅが内部に形成されている。
【００３３】
電球用ソケット４２の雌型ジョイント部４４の中空部４４ａにジョイント片１４の雄型ジョイント部１４ａの頭部１４ｃを摺動可能に嵌合し、ジョイント片１４の雌型ジョイント部１４ｂの中空部１４ｅにプラグ４３の雄型ジョイント部４６の頭部４６ａが摺動可能に嵌合している。電球用ソケット４２の雌型ジョイント部４４の貫通穴４４ｃとジョイント片１４の貫通穴１４ｄ及びプラグ４３の雄型ジョイント部４６の貫通穴４６ｃに導線１５が挿通され、導線１５の一端が電球用ソケット４２の電極金具４２ｂ，４２ｃに接続され、導線１５の他端がプラグ４３の電極金具４３ｂに接続されている。
【００３４】
第１実施例に係る電球装着具４０の構造は以上の通りであって、プラグ４３を天井に固設されているシーリングコンセント１６に差し込んで接続し、電球用ソケット４２に電球１７を装着して使用される。
【００３５】
第１実施例に係る電球装着具４０によれば、雌型ジョイント部４４の中空部４４ａにジョイント片１４の雄型ジョイント部１４ａの頭部１４ｃを摺動可能に嵌合し、ジョイント片１４の雌型ジョイント部１４ｂの中空部１４ｅに雄型ジョイント部４６の頭部４６ａを勘合することにより構成されるボールジョイントを介して電球用ソケット４２とプラグ４３を連結したので、電球用ソケット４２に装着した電球１７の向きを任意の方向に調整できる。
【実施例２】
【００３６】
本考案の第２実施例に係る電球装着具５０を図１３に示す。当該電球装着具５０は電球用ソケット４２と、天井や壁面に固設されている電源用ソケット２２にねじ込んで装着される口金５１と、ジョイント片１４を備えている。
【００３７】
口金５１の底部にはネジ穴５１ａが形成され、該ネジ穴５１ａに中空ボルト４５の一端がネジ付けられ、中空ボルト４５の他端に雄型ジョイント部４６がネジ付けられている。
【００３８】
電球用ソケット４２の雌型ジョイント部４４の中空部４４ａにジョイント片１４の雄型ジョイント部１４ａの頭部１４ｃを摺動可能に嵌合し、ジョイント片１４の雌型ジョイント部１４ｂの中空部１４ｅに口金５１の雄型ジョイント部４６の頭部４６ａが摺動可能に嵌合している。電球用ソケット４２の雌型ジョイント部４４の貫通穴４４ｃとジョイント片１４の貫通穴１４ｄ及び口金５１の雄型ジョイント部４６の貫通穴４６ｃに導線１５が挿通され、導線１５の一端が電球用ソケット４２の電極金具４２ｂ，４２ｃに接続され、導線１５の他端が口金５１の電極金具５１ｂ，５１ｃに接続されている。
なお、第２実施例に係る電球装着具５０の他の構造は第１実施例に係る電球装着具４０と同じである。
【００３９】
第２実施例に係る電球装着具５０の構造は以上の通りであって、口金５１を天井に固設されている電源用ソケット２２にねじ込んで接続し、電球用ソケット４２に電球１７を装着して使用される。
第２実施例に係る電球装着具５０によれば、雌型ジョイント部４４とジョイント片１４及び雄型ジョイント部４６で構成されるボールジョイントを介して電球用ソケット４２と口金５１を連結したので、電球用ソケット４２に装着した電球１７の向きを任意の方向に調整できる。
【実施例３】
【００４０】
本考案の第３実施例に係る電球装着具６０を図１４及び図１５に示す。当該電球装着具６０は電球用ソケット１２と、プラグ１３及びコード本体１１を備えている。コード本体１１は複数個のジョイント片１４から成る。一のジョイント片１４の雄型ジョイント部１４ａの頭部１４ｃを他のジョイント片１４の雌型ジョイント部１４ｂの中空部１４ｅに摺動可能に嵌合して複数個のジョイント片１４を連結し、連結した複数個のジョイント片１４の貫通穴１４ｄに導線１５を挿通して電球用ソケット１２とプラグ１３を接続するコード本体１１が形成されている。
【００４１】
コード本体１１の一端のジョイント片１４の雄型ジョイント部１４ａの頭部１４ｃに電球用ソケット１２の雌型ジョイント部１２ａの中空部１２ｂが摺動可能に嵌合し、コード本体１１の他端のジョイント片１４の雌型ジョイント部１４ｂの中空部１４ｅにプラグ１３の雄型ジョイント部１３ａの頭部１３ｂが摺動可能に嵌合している。
なお、第３実施例に係る電球装着具６０の他の構造は第１参考例に係る電球装着具１０と同じである。
【００４２】
第３実施例に係る電球装着具６０の構造は以上の通りであって、図１６に示すように、プラグ１３を天井に固設されているシーリングコンセント１６に掛止し、電球用ソケット１２に電球１７を装着する。これにより電球１７がコード本体１１によってシーリングコンセント１６から吊り下げられる。
【００４３】
第３実施例に係る電球装着具６０によれば、複数個のジョイント片１４を摺動可能に連結してコード本体１１を構成したので、コード本体１１が可撓性を有し、撓めることができる。また、隣接するジョイント片１４間の摩擦力により、コード本体１１の撓めた形態が保持される。従って、コード本体１１を撓めることによりコード本体１１の一端に設けた電球用ソケット１２に装着した電球１７の向きや高さ位置を調整できる。
【実施例４】
【００４４】
図１７及び図１８に本考案の第４実施例に係る電球装着具７０を示す。当該電球装着具７０においては、コード本体１１の一端に電球用ソケット１２が連結され、コード本体１１の他端に口金２１が連結されている。
なお、第４実施例に係る電球装着具７０の他の構造は第２参考例に係る電球装着具２０と同じである。
【００４５】
第４実施例に係る電球装着具７０は図１９に示すように、電球用ソケット１２に電球１７を装着し、コード本体１１の他端に取り付けた口金２１を、天井に固設されている電源用ソケット２２にねじ込んで装着する。これにより電球１７が天井の電源用ソケット２２からコード本体１１で吊り下げられる。第４実施例に係る電球装着具７０を使用することにより第３実施例に係る電球装着具６０と同じように、コード本体１１を撓めることによりコード本体１１の一端に設けた電球用ソケット１２に装着した電球１７の向きや高さ位置を調整できる。
【実施例５】
【００４６】
本考案の第５実施例に係る電球装着具８０を図２０及び図２１に示す。当該電球装着具８０においては、コード本体１１の一端に電球用ソケット１２が連結され、コード本体１１の他端にプラグ３１が連結されている。
なお、第５実施例に係る電球装着具８０の他の構造は第３参考例に係る電球装着具３０と同じである。
【００４７】
図２２に示すように、第５実施例に係る電球装着具８０は、プラグ３１をライティングバー３２に連結し、電球用ソケット１２に電球１７を装着して使用する。第５実施例に係る電球装着具８０によれば、ライティングバー３２に沿って電球１７の吊り下げ位置を変更できるとともに、コード本体１１を撓めることによりコード本体１１の一端に設けた電球用ソケット１２に装着した電球１７の向きや高さ位置を調整できる。
【実施例６】
【００４８】
図２３に本考案の第６施例に係る電球装着具９０を示す。上記第３、第４、第５実施例の電球装着具６０，７０，８０はいずれも一本のコード本体１１の一端に電球用ソケット１２を取付け、コード本体１１の他端にプラグ１３，３１若しくは口金２１を取り付けたが、図２３に示す電球装着具９０では、プラグ９１の底部に電球用ソケット９２を一体に設けるとともに、この電球用ソケット９２の周面から複数本のコード本体１１を延ばし、各コード本体１１の先端部に電球用ソケット１２を取り付けている。
【００４９】
この電球装着具９０によれば、電球用ソケット９２及び各電球用ソケット１２に電球１７を装着できる。複数個の電球１７の位置や方向をコード本体１１を撓めて調整できるので、意匠の変化に富んだ装飾用照明灯として利用できる。
【実施例７】
【００５０】
図２４に本考案の第７実施例に係る電球装着具１００を示す。当該電球装着具１００は、口金１０１を備え、口金１０１の開口端面に電球用ソケット１０２が設けられている。この電球用ソケット１０２の周面から複数本のコード本体１１が延びている。そして、各コード本体１１の先端に電球用ソケット１２が取り付けられ、各電球用ソケット１２に電球１７が装着される。
【実施例８】
【００５１】
本考案の第８実施例に係る電球装着具１１０を図２５に示す。当該電球装着具１１０はライティングバーに連結されるプラグ１１１を備え、プラグ１１１の下端面に電球用ソケット１１２が設けられている。この電球用ソケット１１２の周面から複数本のコード本体１１が延び、各コード本体１１に電球用ソケット１２が取付けられている。これらの電球用ソケット１２，１１２に電球１７を装着できる。
【符号の説明】
【００５２】
１０，２０，３０，４０，５０，６０，７０，８０，９０，１００，１１０…電球装着具
１１…コード本体
１２，４２，９２，１０２，１１２…電球用ソケット
１２ａ，１４ｂ，４４…雌型ジョイント部
１３ａ，１４ａ，２１ａ，３１ａ，４６…雄型ジョイント部
１３，３１，４３，９１，１１１…プラグ
１４…ジョイント片
１３ｂ，１４ｃ，２１ｂ，３１ｂ，４６ａ…頭部
１２ｂ，１４ｅ，４４ａ…中空部
１２ｃ，１３ｃ，１４ｄ，２１ｃ，３１ｃ，４４ｃ，４６ｃ…貫通穴
１５…導線
１７…電球
２１，５１，１０１…口金
２２…電源用ソケット
【図１】
0003190530.tif 000003
【図２】
0003190530.tif 000004
【図３】
0003190530.tif 000005
【図４】
0003190530.tif 000006
【図５】
0003190530.tif 000007
【図６】
0003190530.tif 000008
【図７】
0003190530.tif 000009
【図８】
0003190530.tif 000010
【図９】
0003190530.tif 000011
【図１０】
0003190530.tif 000012
【図１１】
0003190530.tif 000013
【図１２】
0003190530.tif 000014
【図１３】
0003190530.tif 000015
【図１４】
0003190530.tif 000016
【図１５】
0003190530.tif 000017
【図１６】
0003190530.tif 000018
【図１７】
0003190530.tif 000019
【図１８】
0003190530.tif 000020
【図１９】
0003190530.tif 000021
【図２０】
0003190530.tif 000022
【図２１】
0003190530.tif 000023
【図２２】
0003190530.tif 000024
【図２３】
0003190530.tif 000025
【図２４】
0003190530.tif 000026
【図２５】
0003190530.tif 000027